(57)【要約】【課題】  フィールド部と観客席部との一体感を維持できながら、手間を掛けずにフィールド部の拡張を実施できるようにする。【解決手段】  フィールド部１の周りに、フィールド部側に下り勾配の観客席部２を備えた競技場Ｓを対象として、フィールド部１を拡張する競技場改修方法において、フィールドレベルを嵩上げして新フィールド部４の外縁を観客席部２側に広げる。【選択図】        図１
2006336402.tif 000002
【特許請求の範囲】
【請求項１】
フィールド部の周りに、フィールド部側に下り勾配の観客席部を備えた競技場を対象として、前記フィールド部を拡張する競技場改修方法であって、
フィールドレベルを嵩上げして新フィールド部の外縁を観客席部側に広げる競技場改修方法。
【請求項２】
前記フィールドレベルの嵩上げは、前記フィールド部上への盛土によって行う請求項１に記載の競技場改修方法。
【請求項３】
前記フィールドレベルの嵩上げは、上面部が前記新フィールド部となる構造物を前記フィールド部に設けて行う請求項１に記載の競技場改修方法。
【請求項４】
前記構造物の建設に伴って発生するフィールド部の掘削残土は、前記構造物上の新フィールド部の形成に再利用される請求項３に記載の競技場改修方法。
【請求項５】
前記フィールドレベルの嵩上げに伴って埋没する観客席部の埋没部は埋め殺しされる請求項１〜４の何れか一項に記載の競技場改修方法。
【請求項６】
請求項１〜５の何れか一項に記載の競技場改修方法で改修された競技場。
【発明の詳細な説明】
【技術分野】
【０００１】
本発明は、フィールド部の周りに、フィールド部側に下り勾配の観客席部を備えた競技場を対象として、前記フィールド部を拡張する競技場改修方法に関する。
【背景技術】
【０００２】
従来、この種の競技場改修方法としては、図３に示すように、観客席部２のフィールド部１側の複数列を取り壊して、取り壊した跡地を前記フィールド部１と同じ高さの新たなフィールド部４として拡張する方法や、予め、移動自在に形成された観客席ブロックを観客席部２のフィールド部１側に配置しておき、必要の応じて移動させることでフィールドの拡張を図るものがあった（例えば、特許文献１参照）。
【０００３】
【特許文献１】特開平１０−１８６２１号公報
【発明の開示】
【発明が解決しようとする課題】
【０００４】
上述した従来の競技場改修方法によれば、拡張に伴って、観客席部の最前列と、フィールド部との高さの差が、拡張前の状態より大きくなるから、双方に隔たりが出来ることでフィールド部と観客席部との一体感が薄れ易く、例えば、野球観戦時の臨場感が低下し易い等の問題点がある。
また、観客席部の一部を取り壊す場合には、架構を変更せざるを得なくなることがあり、残す観客席部の補強工事等が必要となれば、非常に手間が掛かる問題点がある。
【０００５】
従って、本発明の目的は、上記問題点を解消し、フィールド部と観客席部との一体感を維持できながら、手間を掛けずにフィールド部の拡張を実施できる競技場改修方法を提供するところにある。
【課題を解決するための手段】
【０００６】
本発明の第１の特徴構成は、フィールド部の周りに、フィールド部側に下り勾配の観客席部を備えた競技場を対象として、前記フィールド部を拡張する競技場改修方法において、フィールドレベルを嵩上げして新フィールド部の外縁を観客席部側に広げるところにある。
【０００７】
本発明の第１の特徴構成によれば、フィールドレベルを嵩上げすると共に観客席部との間をうめるだけの手間で、フィールド部の外周部は、その高さが増すにつれて観客席部の傾斜に沿って外方へ広がり、容易に拡張工事を実施することが可能となる。
また、拡張した状態のフィールド部と、観客席部の最前列との間には、段差がつき難く、双方が一体的に結びつき易い。従って、例えば、野球等の観戦時でも、観客席部においてフィールド部と同じ高さの目線でゲームを楽しむことができ、高い臨場感が得られ易い。
更には、拡張によって新フィールド部に埋没してしまった下部観客席部分は、必ずしも取り壊さなくてもよいから、観客席部分全体とした架構の変更を実施することもなく、余分な補強工事等の手間を掛けずに拡張工事を実施でき、コストアップの抑制を図ることができる。そして、観客席部等の取り壊し工事を行わなければ、それに伴う廃棄物の発生も無く、環境に優しい状態での競技場改修を実現することが可能となる。
【０００８】
本発明の第２の特徴構成は、前記フィールドレベルの嵩上げは、前記フィールド部上への盛土によって行うところにある。
【０００９】
本発明の第２の特徴構成によれば、本発明の第１の特徴構成による上述の作用効果を叶えることができるのに加えて、土を盛るだけの極めて簡単な手法によってフィールドレベルの嵩上げを実施でき、改修工事のコストダウンを図ることが可能となる。また、積層された土によって、良好なフィールドコンディションを確保することが可能となる。
【００１０】
本発明の第３の特徴構成は、前記フィールドレベルの嵩上げは、上面部が前記新フィールド部となる構造物を前記フィールド部に設けて行うところにある。
【００１１】
本発明の第３の特徴構成によれば、本発明の第１の特徴構成による上述の作用効果を叶えることができるのに加えて、前記構造物として、例えば、トレーニング施設や、地下駐車場や、ミュージアムや、ショッピング施設等、各種用途として構成することが可能となり、競技場改修に伴って競技場そのものの付加価値の向上を図ることが可能となる。
また、施工面においては、前記構造物を現場施工で形成する方法の他、例えば、立方体や直方体形状の工場生産品を用いることも可能となり、工期の短縮を図ることも可能となる。そして、構造物としては、その内空部を上述の各種用途に使用することの有無にかかわらず、例えば、ブロック状に形成されたものを前記フィールド部に多数配置することで、全ての嵩上げを盛土で実施するのに比べて短期化を図ることが可能となる。
【００１２】
本発明の第４の特徴構成は、前記構造物の建設に伴って発生するフィールド部の掘削残土は、前記構造物上の新フィールド部の形成に再利用されるところにある。
【００１３】
本発明の第４の特徴構成によれば、本発明の第３の特徴構成による上述の作用効果を叶えることができるのに加えて、前記構造物の設置に当たって旧フィールド部を掘り下げてその上に設けるような場合、フィールド部から掘削土が発生するが、その掘削残土を、構造物上の新フィールド部の形成に再利用することで、廃棄物の処理を軽減して、掘削残土の有効利用を図ることが可能となる。
従って、残土処理の省略（又は軽減）、及び、フィールド部形成用土の材料費の削減を共に叶えることが可能となり、競技場改修工事のコストダウンを図ることが可能となる。
【００１４】
本発明の第５の特徴構成は、前記フィールドレベルの嵩上げに伴って埋没する観客席部の埋没部は埋め殺しされるところにある。
【００１５】
本発明の第５の特徴構成によれば、本発明の第１〜４の何れかの特徴構成による上述の作用効果を叶えることができるのに加えて、改修工事の手間を最小限にすることが可能となり、より経済的に改修工事を進めることが可能となる。
また、観客席部の埋設部をそのまま埋没させるので、それに伴う廃棄物の発生も無く、環境に優しい状態での競技場改修を実現することが可能となる。
【００１６】
本発明の第６の特徴構成は、請求項１〜５の何れか一項に記載の競技場改修方法で改修してあるところにある。
【００１７】
本発明の第６の特徴構成によれば、本発明の第１〜５の何れかの特徴構成による上述の作用効果を備えた競技場となる。
【発明を実施するための最良の形態】
【００１８】
以下に本発明の実施の形態を図面に基づいて説明する。尚、図面において従来例と同一の符号で表示した部分は、同一又は相当の部分を示している。
【００１９】
図１（イ）、図２（イ）は、本発明の競技場改修方法を採用してグラウンド部（フィールド部の一例）１の拡張を行う球場（競技場の一例）Ｓを示している。
前記球場Ｓは、その平面中央部に前記グラウンド部１が備えられ、グラウンド部１の周りには、前記グラウンド部１側に下り勾配の観客席部２を備えて構成されており、当該実施形態においては、野球等の催しに使用することができる。
前記グラウンド部１は、土、及び、芝等によって構成されている。
前記観客席部２は、例えば、鉄筋コンクリート製の架構によって、図に見られるように、外周部２ａは、円柱状で、その内側の内周部２ｂは、スリ鉢状に構成されている。そして、前記内周部２ｂの上面が階段状に形成してあり、それぞれに座席が設置され、観戦できるように構成されている。
また、グラウンド部１と観客席部２との境界部分には、仕切り腰壁３が設けられている。
本発明の球場改修方法は、グラウンドレベルを嵩上げして新グラウンド部４の外縁を観客席部２側に広げることで拡張を図るものであり、以下に、当該球場Ｓのグラウンド部１の拡張を図る改修方法の具体例について説明する。
【００２０】
〔第１実施形態〕
［１］  図１（ロ）に示すように、前記グラウンド部１上へ、順次、盛土を行うことでグラウンドレベルの嵩上げを行う。
前記盛土は、グラウンド部４の直上のみならず、観客席部２の上にも実施するものであり、その盛土層によって形成される新グラウンド部４のグラウンド幅Ｗが、所定のグラウンド幅Ｗ１に増加する高さまで行う。
従って、埋没する観客席部２の埋没部２ｃは埋め殺しとなる。
［２］  そして、新グラウンド部４と、観客席部２の暴露部２ｄとの境界部に新しい仕切り腰壁５を形成する。
以上の一連の手順によって、従来の球場Ｓを、広幅のグラウンド部を備えた球場Ｓへと改修することができる。
尚、図には示さないが、盛土を実施する際に、排水用暗渠等を埋設しておくことで、新グラウンド部４の水はけをより良くすることが可能となる。
【００２１】
本実施形態の球場改修方法によれば、順次、盛土を行うだけの簡単な施工によって、容易にグラウンド部の拡張工事を実施することが可能な上、拡張した状態の新グラウンド部４と、観客席部２の最前列との間には、段差がつき難く、双方が一体的に結びつくことで、野球等の観戦時に、観客席部においてグラウンド部と同じ高さの目線でゲームを楽しむことができ高い臨場感が得られ易い。
また、躯体の取り壊しを最小限にすることが可能であるから、余分な補強工事等を省き、廃棄物の処理も少なくして、経済的、且つ、環境に優しい状態での球場改修を実現することが可能となる。
【００２２】
〔第２実施形態〕
当該実施形態では、図２（ロ）に示すように、前記グラウンドレベルの嵩上げは、上面部が前記新グラウンド部４となる構造物６を前記グラウンド部１に設けて行うものである。
前記構造物６とは、当該実施形態では、地下駐車場を例に挙げている。
【００２３】
［１］  嵩上げ高さより、前記構造物６高さが大きいような場合は、図２（ロ）に示すように、予め、グラウンド部１を掘り下げ、その上に前記構造物６を形成する。当該実施形態においては、前記構造物６は、予め、分割形成したブロック体からなる工場生産品で構成してあり、これらを現場に搬入して所定位置に設置して構造物６を形成するものである。
そして、掘り下げによって発生した掘削残土Ｋは、現場に仮置きしておき、前記構造物６を形成した後に、その上面に盛り上げて新グラウンド部４の形成に再利用する。
尚、嵩上げ高さ内に構造物６が納まるような場合は、グラウンド部１の掘り下げは必要なくなる。
また、観客席部２の埋没部２ｃに相当する部分が、構造物６を設置する上で障害となる場合には、予め、その部分を取り壊しておく。
［２］  構造物６上に、土を盛って新グラウンド部４を形成すると共に、新グラウンド部４と観客席部２の暴露部２ｄとの境界部に新しい仕切り腰壁５を形成する。
以上の一連の手順によって、従来の球場Ｓを、広幅のグラウンド部を備えた球場Ｓへと改修することができる。
【００２４】
本実施形態の球場改修方法によれば、第１実施形態の場合と同様に、新グラウンド部４と、観客席部２の最前列との間には、段差がつき難く、高い臨場感で観戦を楽しむことが可能となることに加えて、グラウンド部の拡張を行うに伴って、グラウンド部の下部に有効な空間を確保することが可能となり、球場改修に伴って球場そのものの付加価値の向上を図ることが可能となる他、前記構造物６として工場生産品を使用することで、工期の短縮を図ることも可能となる。
更には、掘削残土Ｋを、構造物６上の新グラウンド部４の形成に再利用することで、廃棄物の処理を軽減できると共に、掘削残土Ｋの有効利用を図ることができ、球場改修工事のコストダウンを図ることも可能となる。
【００２５】
〔別実施形態〕
以下に他の実施の形態を説明する。
【００２６】
〈１〉  改修工事の対象となる前記競技場Ｓは、先の実施形態で説明した野球場に限るものではなく、例えば、サッカー場や、ラグビー場や、陸上競技場や、円形劇場や扇形劇場等の催し場等であっても良く、それらを総称して競技場と言う。また、フィールド部に屋根が無いもの以外にも、屋根のあるものや、所謂「ドーム」等であってもよい。そして、フィールド部と表現した部分は、競技場の用途によって、グラウンド部、トラック部、ピッチ部、コート部、アリーナ部、ステージ部、フロア部等の表現をされる事があり、それらを総称してフィールド部と言う。
〈２〉  前記構造物６は、先の実施形態で説明した地下駐車場に限るものではなく、例えば、トレーニング施設や、ミュージアムや、ショッピング施設等、各種用途のものであってもよく、それらを総称して構造物６と言う。また、構造物の施工は、全工程を現場施工によって実施する方法の他、一部にプレキャスト部材や鉄骨等の工場生産品を使用したり、工場生産品の現場組立によって大半の構造物を形成する方法等、公知の施工法を採用することができる。
〈３〉  グランドレベルの嵩上げに伴って、観客席部２の埋没部２ｃは、先の実施形態で説明したようにそのまま残しておくことに限るものではなく、例えば、予め、撤去することであってもよい。
【００２７】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【図面の簡単な説明】
【００２８】
【図１】競技場改修方法の第一実施形態を説明する断面図
【図２】競技場改修方法の第二実施形態を説明する断面図
【図３】競技場改修方法の従来例を説明する断面図
【符号の説明】
【００２９】
１      グラウンド部（フィールド部の一例）
２      観客席部
２ｃ    埋没部
４      新グラウンド部（新フィールド部の一例）
６      構造物
Ｋ      掘削残土
Ｓ      球場（競技場の一例）
【図１】
2006336402.tif 000003
【図２】
2006336402.tif 000004
【図３】
2006336402.tif 000005